【事件の表示】
　平成　６年特許願第２１７４０８号「情報記録再生装置」拒絶査定不服審判事件〔平成　８年　３月２６日出願公開、特開平　８−　８３４３０〕について、次のとおり審決する。
【結　論】
　本件審判の請求は、成り立たない。
【理　由】
１．手続の経緯の概要
　
　本願は、平成６年９月１２日の出願であって、平成１４年２月２６日付け拒絶理由通知に対して、平成１４年４月３０日付けで意見書及び手続補正書が提出されたが、平成１４年５月２０日付けで拒絶査定がなされ、これに対し、平成１４年６月２１日付けで拒絶査定不服の審判が請求されるとともに、平成１４年７月１７日付けで手続補正書が提出されたものである。
　
２．平成１４年７月１７日付けの手続補正についての補正却下の決定
　
〔補正却下の決定の結論〕
　平成１４年７月１７日付けの手続補正（以下、「本件手続補正」という。）を却下する。
　
〔理　由〕
（１）本件手続補正前及び本件手続補正後の特許請求の範囲
　本件手続補正は、特許請求の範囲及び発明の詳細な説明についてするもので、特許請求の範囲について、本件手続補正前には、
「【請求項１】　上位の制御装置からの指令により、情報の記録／再生を行う情報記録再生装置において、
　前記上位装置からの指令実行中に光スポットのトラッキング、フォーカシングサーボ処理を周期的に割り込ませながら実行する単一のＣＰＵと、前記割り込み周期を切り替える手段とを備え、前記切り替え手段は、トラックジャンプを行いながら同一トラック上に光スポットを維持するウエイト時或いは光スポットを他のトラックに移動させるシーク時に情報の記録／再生時より低い周期に前記割り込み周期を切り替えることを特徴とする情報記録再生装置。
　　【請求項２】　前記切り替え手段は、情報の記録時には再生時より前記割り込み周期を高く設定することを特徴とする請求項１に記載の情報記録再生装置。
　　【請求項３】　上位の制御装置からの指令により、情報の記録／再生を行う情報記録再生装置において、
　前記上位装置からの指令実行中に、所定の演算式に基づく光スポットのトラッキング、フォーカシングサーボ処理を周期的に割り込ませながら実行する単一のＣＰＵと、前記演算式を切り替える手段とを備え、前記切り替え手段は、トラックジャンプを行いながら同一トラック上に光スポットを維持するウエイト時或いは光スポットを他のトラックに移動させるシーク時に情報の記録時より低い次数の演算式に前記演算式を切り替えることを特徴とする情報記録再生装置。
　　【請求項４】　上位の制御装置からの指令により、情報の記録／再生を行う情報記録再生装置において、
　前記上位装置からの指令実行中に、所定の演算式に基づく光スポットのトラッキング、フォーカシングサーボ処理を周期的に割り込ませながら実行する単一のＣＰＵと、前記光スポットに加わる外乱量を計測する手段と、前記演算式或いは割り込み周期を切り替える手段とを備え、前記切り替え手段は、計測された外乱量が大きい場合にはより次数の大きな演算式に前記演算式を切り替える、或いはより高い周期に前記割り込み周期を切り替えることを特徴とする情報記録再生装置。」
とあったものを、
「【請求項１】　上位の制御装置からの指令により、情報の記録／再生を行う情報記録再生装置において、
　前記上位装置からの指令実行中に光スポットのトラッキング、フォーカシングサーボ処理を周期的に割り込ませながら実行する単一のＣＰＵと、前記割り込み周期を切り替える手段とを備え、前記切り替え手段は、情報の記録時には再生時より前記割り込み周期を高く設定することを特徴とする情報記録再生装置。
　　【請求項２】　上位の制御装置からの指令により、情報の記録／再生を行う情報記録再生装置において、
　前記上位装置からの指令実行中に、所定の演算式に基づく光スポットのトラッキング、フォーカシングサーボ処理を周期的に割り込ませながら実行する単一のＣＰＵと、前記演算式を切り替える手段とを備え、前記切り替え手段は、トラックジャンプを行いながら同一トラック上に光スポットを維持するウエイト時或いは光スポットを他のトラックに移動させるシーク時に情報の記録時より低い次数の演算式に前記演算式を切り替えることを特徴とする情報記録再生装置。
　　【請求項３】　上位の制御装置からの指令により、情報の記録／再生を行う情報記録再生装置において、
　前記上位装置からの指令実行中に、所定の演算式に基づく光スポットのトラッキング、フォーカシングサーボ処理を周期的に割り込ませながら実行する単一のＣＰＵと、前記光スポットに加わる外乱量を計測する手段と、前記演算式或いは割り込み周期を切り替える手段とを備え、前記切り替え手段は、計測された外乱量が大きい場合にはより次数の大きな演算式に前記演算式を切り替える、或いはより高い周期に前記割り込み周期を切り替えることを特徴とする情報記録再生装置。」
と補正しようとするものである。
　
（２）補正内容の検討
　本件手続補正後の請求項２及び３は、それぞれ本件手続補正前の請求項３及び４に相当するものである。
　本件手続補正後の請求項１について検討すると、「情報の記録時には再生時より前記割り込み周期を高く設定する」とした構成要件については本件手続補正前の請求項２に記載された事項を併せたものとすることができるが、本件手続補正後の請求項１には、本件手続補正前の請求項１にあった構成要件である「トラックジャンプを行いながら同一トラック上に光スポットを維持するウエイト時或いは光スポットを他のトラックに移動させるシーク時に情報の記録／再生時より低い周期に前記割り込み周期を切り替える」とすることが削除されている。これにより、発明に欠くことのできない構成要件である「割り込み周期を切り換える手段」について、本件手続補正前にあった限定が一部削除されたものである。すると、本件手続補正後の請求項１は、補正前発明の構成に欠くことができない事項の全部又は一部を限定したものとすることができない。また、請求項の削除、誤記の訂正、及び明瞭でない記載の釈明のいずれにも当たらないことが明らかである。
　したがって、本件手続補正は、特許法第１７条の２第３項の、第一号乃至第四号のいずれにも該当しないものである。
（３）本件手続補正についての結び
　以上のとおり、本件手続補正は、特許法第１７条の２第３項の規定に違反するものであるから、同法第１５９条第１項で読み替えて準用する同法第５３条第１項の規定により却下すべきものである。
　
　
３．本願発明について
（１）本願発明
　平成１４年７月１７日付けの手続補正は上記のとおり却下されたので、本願の請求項１乃至４に係る発明は、平成１４年４月３０日付け手続補正により補正された明細書の特許請求の範囲の請求項１乃至４に記載されたとおりのものであるところ、その請求項１に係る発明は、上記２．の〔理由〕（１）に、本件手続補正前の特許請求の範囲の請求項１として掲げたとおりのものである（以下、「本願発明」という）。
　
（２）引用例
１）第１引用例
　原査定で引用された、本願出願前に頒布された刊行物である特開平６−５２５５５号公報（以下、「第１引用例」という）には、図面とともに以下の技術事項が記載されている。
（ａ）
「【０００８】ＤＳＰ８には、また、他のバス線１３を通じて、通常のトラック追従状態またはシーク状態などにサーボ状態を切り換えるコマンドが供給される。このコマンドは、例えば、ホストコンピュータ１５から、ＳＣＳＩバス１６、ＳＣＳＩインタフェースのコントローラ１７、インタフェース（Ｉ／Ｆ）１８およびバス線１３を通じてＤＳＰ８に供給される。」
（ｂ）
「【００１３】
【課題を解決するための手段】本発明は、例えば、図１に示すように、光ディスク１にアクセスする光ピックアップ３と、この光ピックアップ３によって検出される検出信号Ｓ1 に基づきサーボエラー信号ＳF ，ＳT を形成するサーボエラー信号形成回路３０と、サーボエラー信号ＳF ，ＳT を選択的に出力する選択回路３１と、この選択回路３１の出力信号をデジタル信号に変換するＡ／Ｄ変換回路６と、このＡ／Ｄ変換回路６の出力データＤF ，ＤT を記憶する入力側レジスタ３６，３７と、この入力側レジスタ３６，３７にバス線７を通じて接続されるデジタルシグナルプロセッサ３８と、このデジタルシグナルプロセッサ３８にバス線７を通じて接続される出力側レジスタ４０〜４２と、選択回路３１、入力側レジスタ３６，３７、デジタルシグナルプロセッサ３８および出力側レジスタ４０〜４２にタイミング信号を供給するタイミング信号発生回路５０とを備え、デジタルシグナルプロセッサ３８は、入力側レジスタ３６，３７に記憶されたデータに基づきサーボ信号処理処理を行い処理後のデータを出力側レジスタ４０〜４２に転送し、その出力側レジスタ４０〜４２に記憶されたデータに基づいて光ピックアップ３を駆動するようにしたものである。」
（ｃ）
「【００２５】光ピックアップ３を構成する４分割ダイオードの検出信号Ｓ1 は、サーボエラー信号回路としても動作する信号形成回路３０に供給される。信号形成回路３０は、検出信号Ｓ1 から周知のフォーカスエラー信号ＳF およびトラッキングエラー信号ＳT からなっているサーボエラー信号並びに総和信号ＳA を形成して出力する。なお、フォーカスエラー信号ＳF とトラッキングエラー信号ＳT とをあわせて、以下、サーボエラー信号ＳE という。」
（ｄ）
「【００３２】ＤＳＰ３８は、インタフェース１７を通じてコントローラ１４に接続され、このコントローラ１４は、ＳＣＳＩインタフェース１６を通じてホストコンピュータ１５に接続されている。なお、ＤＳＰ３８からホストコンピュータ１５へは、光ディスク１から読みだされた図示しないＲＦ信号に対応して形成される読みだしデータなどが供給されるようになっている。ホストコンピュータ１５からは、ＳＣＳＩインタフェース１６、コントローラ１４およびインタフェース１７を通じてコマンドなどがＤＳＰ３８に供給される。
【００３３】タイマ５１は、システムクロックを計数することによって形成したサンプリングパルスＳP とシステムクロックを適当に分周したクロックパルスＣK をタイミング信号発生回路５０に供給する。なお、サンプリングパルスＳP のサンプリング周期ＴS は、ＤＳＰ３８によって決定され、例えば、２０μＳ〜３０μＳのうち適当な周期に決定することができるようになっている。
【００３４】タイミング信号発生回路５０は、サンプリングパルスＳP とクロックパルスＣK とに基づいてアナログスイッチ３１を切り換えるタイミング信号Ｓ11を発生して、アナログスイッチ３１の制御端子に供給する。」
（ｅ）
「【００４２】時点ｔ４、すなわち、総和信号ＳA とフォーカスエラー信号ＳF とトラッキングエラー信号ＳT のＡ／Ｄ変換回路６によるＡ／Ｄ変換が１サイクル終了した時点でタイミング信号発生回路５０からＡ／Ｄ変換終了割り込みである割り込み信号ＳI がＤＳＰ３８に供給される。
【００４３】ＤＳＰ３８は、この割り込み信号ＳI が供給されたとき、図３Ｈに示すように、割り込みルーチンであるサーボ信号処理プログラム６１が実行されて、サーボ信号処理を実行する。すなわち、ＲＡＭ１１に記憶されているプログラムに基づきレジスタ３５〜３７からデータを取り込み、位相補償などのデータ処理（サーボ信号処理）を行い、処理結果データをレジスタ４０〜４２に書き込む。なお、サーボ信号処理プログラム６１の実行期間の前の期間では、ＤＳＰ３８はその他の処理プログラム６２を実行して、サーボ信号処理以外の処理を行うようになっている。このサーボ信号処理以外の処理としては、例えば、ＲＦ信号（図示していない）の読みだし処理、装置全体のシステムコントロール処理およびホストコンピュータ１５とのデータの送受処理などがある。
【００４４】レジスタ４０〜４２に書き込まれたデータは、タイミング信号Ｓ16に同期してＤ／Ａ変換回路４３〜４５に送出される。送出されたデータは、Ｄ／Ａ変換回路４３〜４５によって即時にＤ／Ａ変換された後、ドライバ４６〜４８を通じて光ピックアップ３に供給される。」
（注：なお、第４３段落については、公報１２頁に平成５年１月７日付け手続補正の内容が掲載されており、それによると、「読みだし」が「記録再生コントロール」と補正されている）
（ｆ）
「【００４８】ところで、通常の読み書き動作にかかるトラック追従動作時とシーク動作時あるいはスチル動作では、サーボの状態を切り換えることが必要になってくる。
例えば、シーク動作時においては、光ディスク１のディスク面に接触しないようにするためにフォーカスサーボ処理は必要であるがトラッキングサーボ処理は不要である。したがって、サーボ状態に応じて、ＤＳＰ３８によって実行されるルーチンの内容は異なってくる。
【００４９】本願発明者等は、このサーボ状態に応じたルーチンの切り換えが、Ａ／Ｄ変換終了割り込み（図３中、点線の矢線参照）の割り込みベクターを書き換えることによって短時間に可能になることを見いだした。
【００５０】すなわち、例えば、ホストコンピュータ１５からシーク動作コマンドが発行された場合には、ＤＳＰ３８によってそのコマンドの解析が行われ、割り込みベクターの書換、言い換えれば、ＤＳＰ３８内のプログラムカウンタ（図示していない）に設定されるプログラムの、いわゆる飛び先を書き換える処理を行えばよい。なお、この書換処理は、Ａ／Ｄ変換回路６によるトラッキングエラー信号ＳTの変換処理が終わる前の時点、すなわち、割り込み信号ＳI の発生時点ｔ４までにその他の処理プログラム６２の実行期間に行えばよい。
【００５１】また、スチル状態におけるトラックジャンプ動作の場合でも、同様の処理で対応することが可能になる。」
　
　上記記載事項及び図面の記載を総合勘案すると、上記第１引用例には、結局、次の発明が記載されている。
「ホストコンピュータ１５から供給されるコマンドにより読み書き動作を行う光ディスク装置において、
サーボ信号処理プログラム６１の実行期間の前の期間では、サーボ信号処理以外の処理（例えば、ＲＦ信号の読みだし処理、装置全体のシステムコントロール処理およびホストコンピュータ１５とのデータの送受処理など）を行い、タイミング信号発生回路から適当な周期で供給される割り込み信号ＳIが供給されたとき、割り込みルーチンであるサーボ信号処理プログラム６１が実行されて、フォーカスエラー信号とトラッキングエラー信号の処理を行うサーボ信号処理を実行するＤＳＰ３８と、
を備えることを特徴とす光ディスク装置。」
　
２）第２引用例
　おなじく、原査定で引用された、本願出願前に頒布された刊行物である特開平３−８０４３６号公報（以下、「第２引用例」という）には、図面とともに以下の技術事項が記載されている。
（ｇ）
　「フォーカスエラーディジタル信号、トラッキングエラーディジタル信号、レンズ位置誤差ディジタル信号、レンズアクチュエータ駆動電流ディジタル信号を取得するためのエラー信号取得部と、
　通過トラック数を示す通過トラック数信号を取得するためのトラックカウント部と、
　移動方向信号を取得するための移動方向検出部と、
　前記フォーカスエラーディジタル信号、前記トラッキングエラーディジタル信号、前記レンズ位置誤差ディジタル信号、前記レンズアクチュエータ駆動電流ディジタル信号、前記通過トラック数信号および前記移動方向信号を格納する入力レジスタと、
　前記入力レジスタに格納されている信号を基に、ディジタル演算によりフォーカスアクチュエータ制御ディジタル信号、レンズアクチュエータ制御ディジタル信号およびポジショナアクチュエータ制御ディジタル信号を算出し、算出結果を生成する制御信号生成部と、
　前記フォーカスアクチュエータ制御ディジタル信号、前記レンズアクチュエータ制御ディジタル信号および前記ポジショナアクチュエータ制御ディジタル信号を格納する出力レジスタと、
　前記出力レジスタに格納されたデータ信号を基に、フォーカスアクチュエータ制御アナログ信号、レンズアクチュエータ制御アナログ信号およびポジショナアクチュエータ制御アナログ信号を出力する制御信号出力部と、
　前記エラー信号取得部、前記入力レジスタ、前記制御信号生成部、前記出力レジスタおよび前記制御信号出力部に対する同期信号を発生する同期信号発生部と、
を備えて成る複数の制御モードを持つ光ディスク装置レンズ位置制御ディジタルサーボコントローラを制御するディジタル制御方式において、
　前記制御信号生成部からの指令を受けて、前記同期信号発生部からの前記制御信号生成部への同期割込信号を許可、または不許可にする割込切換部を具備することにより、制御モード毎にサンプル周波数を切り換えることを特徴とするディジタル制御方式。」
（１頁左下欄第５行〜２頁左上欄第８行）
（ｈ）
「ディジタル制御を行う場合、コントローラは、通常、一定サンプル周期毎に信号取得、制御演算、制御信号出力を行う。
　光ディスク装置レンズ位置制御系においては、制御モードによって、行う演算内容、または、必要とされるサンプル周波数が大きく異なる。
　例えば、アクセス動作モードにおいては、フォーカスエラー信号、レンズ位置誤差信号、レンズアクチュエータ駆動電流信号、トラックカウント数、移動方向信号を取得する。そして、フォーカスエラー信号をディジタルフィルタで処理することにより、フォーカスアクチュエータ制御信号を得る。また、トラックカウント数を基に目標速度を生成し、トラックカウント数とレンズアクチュエータ駆動電流信号を基にレンズの速度を推定し、目標速度と推定速度との差をゲイン調整して、レンズアクチュエータ制御信号とする。更に、レンズ位置誤差信号をディジタルフィルタで処理し、フィルタ出力にゲイン調整したレンズアクチュエータ駆動電流を加算することにより、ポジショナアクチュエータ制御信号を得る。このモードにおいては、後述の追従動作に比べて、演算量が多い。
　一方、トラック追従動作モードにおいては、フォーカスエラー信号、トラッキングエラー信号、レンズ位置誤差信号を取得し、これらのエラー信号をそれぞれディジタルフィルタにより処理することにより、フォーカスアクチュエータ制御信号、レンズアクチュエータ制御信号、ポジショナアクチュエータ制御信号を得る。このモードにおいては、演算量は比較的少ないが、リード／ライト動作を行うため、高精度追従を要求され、高い制御帯域が必要とされる。高い制御帯域を実現するためのディジタルフィルタを構成するためには、高いサンプル周波数が必要とされる。
　従来は、すべてのモードにおいて、演算量が最も多いモードに合わせて、同一のサンプル周波数を設定していた。」
（２頁左上欄第１８行〜同頁左下欄第１５行）
（ｉ）
「したがって、上述の従来方式のようにすべてのモードにおいて、同一のサンプル周波数を用いるとすると、演算量が最も多いモードに合わせて、低いサンプル周波数を設定しなければならず、ディジタルコントローラの性能を十分引き出しているとは言えない。
（課題を解決するための手段）
　前述の課題を解決するため本発明によるディジタル制御方式は、複数の制御モードを持つ光ディスク装置レンズ位置制御ディジタルサーボコントローラにおいて、制御モード毎に、サンプル周波数を切り換えるようにしたもので、（後略）」
（２頁右下欄第１行〜第１２行）
（ｊ）
「このディジタルコントローラにおいては、同期信号発生部１１０から発生されたサンプル周期毎のパルス信号により、エラー信号取得部１０１、入力レジスタ１０４、制御信号生成部１０７、出力レジスタ１０８、制御信号出力部１０９を同期させている。すなわち、サンプル周期毎に発生されるパルス信号の所定の一つを割込信号とし、この割込信号で制御信号生成部１０７における制御信号生成ルーチンを起動する。
　制御信号生成ルーチンは、制御モードに対応するルーチンが起動される。したがって、制御信号生成ルーチンに記述された割込切換部１１１への指令に基づいて、割込切換部１１１において、割込信号を許可とするか、不許可とするかを切り換えることにより、制御モード毎に、サンプル周波数を切り換えることができる。」
（３頁左下欄第１５行〜右下欄第１０行）
（ｋ）
「同期信号発生回路２１８は、以上の動作を同期させるための同期信号を発生させる回路であり、所定の基準周波数を分周するカウンタを用いた分周回路から成る。同期信号として、セレクタ２０１に対しては切換信号２ｅ１が、入力レジスタ２０７に対してはラッチ信号２ｅ２が、演算処理機構２１２に対しては制御信号生成ルーチンの起動割込信号２ｅ３が、出力レジスタ２１３に対してはＤ／Ａ変換器への入力切換信号２ｅ４が、サンプルホールド回路２１５〜２１７に対してはサンプルタイミング信号２ｅ５が、それぞれ与えられる。
　演算処理機構２１２は、同期信号発生回路２１８からの同期割込信号の許可、不許可を切り換える割込切換信号２ｆ１を出力し、割込切換回路２１９に入力する。
　割込切換回路２１９は、レジスタとＡＮＤ回路によって構成することができる。同期割込信号が検出されることにより起動された制御信号生成ルーチンは、起動時に同期割込信号を不許可とし、演算終了または所定の時刻に許可とする。制御信号生成ルーチンは、制御モードによって異なるルーチンが起動されるので、制御モード毎に、サンプル周波数を切り換えることが可能となる。」
（５頁右上欄第４行〜同頁左下欄第７行）
（ｌ）
「例えば、アクセス動作モードにおける計算時間で規定されるサンプル周波数の２倍の周波数を基準サンプル周波数とし、同期割込信号を発生させると、アクセス動作モードにおいては、同期割込信号を２回のうち１回、検出し、制御信号生成ルーチンが起動される。また、追従動作モードにおいては、同期割込信号を毎回、検出し、制御信号生成ルーチンが起動される。
　したがって、アクセス動作モード時における計算時間で規定されるサンプル周波数で、アクセス動作、追従動作が可能な制御系構成においては、本制御方式を用いることにより、追従モードにおける制御帯域を大幅に高めることが可能になる。すなわち、より高精度、より高速な制御が実現可能になる。」
（５頁右下欄第１４行〜６頁左上欄第７行）　
　
（３）対比
　本願発明と第１引用例に記載された発明とを対比する。
　第１引用例に記載された発明における「ホストコンピュータ１５から供給されるコマンドにより読み書き動作を行う光ディスク装置」は、本願発明における「上位の制御装置からの指令により、情報の記録／再生を行う情報記録再生装置」に相当する。
　第１引用例に記載された発明における「サーボ信号処理プログラム６１の実行期間の前の期間では、サーボ信号処理以外の処理（例えば、ＲＦ信号の読みだし処理、装置全体のシステムコントロール処理およびホストコンピュータ１５とのデータの送受処理など）を行い、タイミング信号発生回路から適当な周期で供給される割り込み信号ＳIが供給されたとき、割り込みルーチンであるサーボ信号処理プログラム６１が実行されて、サーボ信号処理を実行する」ことは、本願発明において「前記上位装置からの指令実行中に光スポットのトラッキング、フォーカシングサーボ処理を周期的に割り込ませながら実行する」ことに相当する。
　
　そうすると、本願発明と第１引用例に記載された発明とは次の点で一致する。
　一致点
「上位の制御装置からの指令により、情報の記録／再生を行う情報記録再生装置において、
　前記上位装置からの指令実行中に光スポットのトラッキング、フォーカシングサーボ処理を周期的に割り込ませながら実行する情報記録再生装置。」
　
　一方、次の点で相違する。
　相違点
（相違点１）
　光スポットのトラッキング、フォーカシングサーボ処理を周期的に割り込ませながら実行するものは、本願発明では「単一のＣＰＵ」であるのに対して、第１引用例に記載された発明ではＤＳＰである点。
（相違点２）
　本願発明では、「割り込み周期を切り替える手段とを備え、前記切り替え手段は、トラックジャンプを行いながら同一トラック上に光スポットを維持するウエイト時或いは光スポットを他のトラックに移動させるシーク時に情報の記録／再生時より低い周期に前記割り込み周期を切り替える」のに対し、第１引用例に記載された発明では、このような割込周期の切換手段を有していない点。
　
（４）判断
（相違点１について）
　情報記録再生装置において、サーボ処理を単一のＣＰＵで行うことは、周知の事項にすぎない。必要なら、例えば、特開平５−２９０３７６号公報（ＭＰＵ２０９）、特開平６−８４１８８号公報（ＣＰＵ９）、特開平６−２１５４３８号公報（マイクロプロセッサ３３）を参照されたい。したがって、第１引用例に記載された発明のＤＳＰをＣＰＵに変更する程度のことは、当業者が容易に想到しうるものである。
　なお、第１引用例では、高価なＣＰＵを用いずに済むことをその目的、作用効果としているが、ＣＰＵを用いることは従来技術として記載されるように、なんら支障があるものではないことは明らかである。
（相違点２について）
　第２引用例に記載された技術事項は、光ディスク装置におけるディジタル制御に関するものである点において第１引用例に記載された発明と技術分野を同じくするものである。
　第２引用例には、同期信号発生回路２１８から出力される同期信号２ｅ１〜２ｅ５のうち、制御信号の生成ルーチンの起動割込信号２ｅ３が割込切換回路２１９を介して演算処理機構２１２に与えられることが記載されている。そして、割込切換回路は、上記３．（２）２）の（ｋ）及び（ｌ）に摘記したように動作することで、アクセス動作モードには追従動作モードの２倍の周期で同期割込信号を検出するように切り換えるものである。
　ここにおいて、同（ｈ）に摘記したことを参照すると、アクセス動作モードは、光スポットを他のトラックに移動するモードであることが明らかで、また、追従動作モードは、記録再生を行うモードであることも明らかである。
　光ディスクの動作状態の応じて制御モードを変更すること自体は第１引用例にも記載されていることである（上記３．（２）１）の（ｆ）参照）から、第１引用例に記載された発明に、第２引用例に記載された割込切換回路を採用することで、相違点２について本願発明のようにすることは、その作用効果も含め当業者が容易に想到しうるものである。
　
　結局のところ、本願請求項１に係る発明は、第１引用例及び第２引用例に記載された発明、並びに周知事項に基づいて当業者が容易に発明をすることができたものである。
　
（５）本願発明についてのむすび
　以上のとおり、本願の請求項１に係る発明は特許法第２９条第２項の規定により特許を受けることができないものであるから、その余の請求項について論及するまでもなく、本願は拒絶すべきものである。
　
　よって、結論のとおり審決する。